【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
荷電粒子ビームを加速する円形加速器と、
前記円形加速器から出射された前記荷電粒子ビームを照射対象に照射する荷電粒子ビーム照射装置と、
前記円形加速器による前記荷電粒子ビームの加速終了後であって前記荷電粒子ビームの出射前において、前記円形加速器内を周回する前記荷電粒子ビームのエネルギーを判定するエネルギー判定装置とを備えたことを特徴とする粒子線治療装置。
【請求項２】
前記円形加速器は前記荷電粒子ビームを加速するために高周波を印加する加速空胴を備え、
前記エネルギー判定装置は、前記加速終了後における前記高周波の周波数、又は前記円形加速器内を周回する前記荷電粒子ビームの周回周波数が、第１許容範囲内に存在し、
かつ前記加速終了後における、周回する前記荷電粒子ビームの軌道位置が第２許容範囲内に存在するとき、
前記加速終了後に周回する前記荷電粒子ビームのエネルギーが正常であると判定する請求項１記載の粒子線治療装置。
【請求項３】
前記円形加速器は前記荷電粒子ビームを加速するために高周波を印加する加速空胴を備え、
前記エネルギー判定装置は、前記加速終了後における前記高周波の周波数、若しくは前記円形加速器内を周回する前記荷電粒子ビームの周回周波数が、第１許容範囲外に存在し、
または、前記加速終了後における、周回する前記荷電粒子ビームの軌道位置が第２許容範囲外に存在するとき、
前記加速終了後に周回する前記荷電粒子ビームのエネルギーが異常であると判定する請求項１記載の粒子線治療装置。
【請求項４】
前記高周波の周波数又は前記荷電粒子ビームの周回周波数を計測する周波数計測装置、及び前記荷電粒子ビームの軌道位置を計測するビーム軌道位置計測装置を有する請求項２または請求項３記載の粒子線治療装置。
【請求項５】
前記円形加速器は偏向電磁石を備え、
前記エネルギー判定装置は、前記偏向電磁石の偏向磁場強度が第１許容範囲内に存在し、かつ周回する前記荷電粒子ビームの軌道位置が第２許容範囲内に存在するとき、前記加速終了後に周回する前記荷電粒子ビームのエネルギーが正常であると判定する請求項１記載の粒子線治療装置。
【請求項６】
前記円形加速器は偏向電磁石を備え、
前記エネルギー判定装置は、前記偏向電磁石の偏向磁場強度が第１許容範囲外に存在し、または、周回する前記荷電粒子ビームの軌道位置が第２許容範囲外に存在するとき、前記加速終了後に周回する前記荷電粒子ビームのエネルギーが異常であると判定する請求項１記載の粒子線治療装置。
【請求項７】
前記偏向磁場強度を計測する偏向磁場強度計測装置、及び前記荷電粒子ビームの軌道位置を計測するビーム軌道位置計測装置を有する請求項５または請求項６記載の粒子線治療装置。
【請求項８】
前記円形加速器による前記荷電粒子ビームの加速終了後において前記円形加速器内を周回する前記荷電粒子ビームのビーム強度を判定するビーム強度判定装置を更に備えた請求項１ないし請求項７のいずれか１項に記載の粒子線治療装置。
【請求項９】
前記ビーム強度判定装置は前記ビーム強度が第３許容範囲内に存在するとき、前記加速終了後に周回する前記荷電粒子ビームのビーム強度が正常であると判定する請求項８記載の粒子線治療装置。
【請求項１０】
前記ビーム強度判定装置は前記ビーム強度が第３許容範囲外に存在するとき、前記加速終了後に周回する前記荷電粒子ビームのビーム強度が異常であると判定する請求項８記載の粒子線治療装置。
【請求項１１】
前記エネルギー判定装置が前記周回する荷電粒子ビームのエネルギーが正常であると判定したとき前記円形加速器からの前記荷電粒子ビームの出射を許可し、そのエネルギーが異常であると判定したとき前記円形加速器からの前記荷電粒子ビームの出射を阻止する第１安全装置を設けた請求項１記載の粒子線治療装置。
【請求項１２】
前記ビーム強度判定装置が前記周回する荷電粒子ビームのビーム強度が正常であると判定したとき前記円形加速器からの前記荷電粒子ビームの出射を許可し、そのビーム強度が異常であると判定したとき前記円形加速器からの前記荷電粒子ビームの出射を阻止する第２安全装置を設けた請求項８記載の粒子線治療装置。
【請求項１３】
前記エネルギー判定装置が前記周回する荷電粒子ビームのエネルギーが正常であると判定したとき前記円形加速器からの前記荷電粒子ビームの出射を許可する第１安全装置を設けた請求項２または請求項５記載の粒子線治療装置。
【請求項１４】
前記エネルギー判定装置が前記周回する荷電粒子ビームのエネルギーが異常であると判定したとき前記円形加速器からの前記荷電粒子ビームの出射を阻止する第１安全装置を設けた請求項３または請求項６記載の粒子線治療装置。
【請求項１５】
前記エネルギー判定装置が前記周回する荷電粒子ビームのビーム強度が正常であると判定したとき前記円形加速器からの前記荷電粒子ビームの出射を許可する第２安全装置を設けた請求項９記載の粒子線治療装置。
【請求項１６】
前記エネルギー判定装置が前記周回する荷電粒子ビームのビーム強度が異常であると判定したとき前記円形加速器からの前記荷電粒子ビームの出射を阻止する第２安全装置を設けた請求項１０記載の粒子線治療装置。
【請求項１７】
前記エネルギー判定装置は、前記円形加速器内を周回する前記荷電粒子ビームの前記エネルギーが所定の範囲内であるか否かを判定する請求項１記載の粒子線治療装置。
【請求項１８】
前記エネルギー判定装置は、前記円形加速器に備えられた加速空洞から前記荷電粒子ビームを加速するために印加される高周波の周波数、又は前記円形加速器内を周回する前記荷電粒子ビームの周回周波数、及び周回する前記荷電粒子ビームの軌道位置に基づいて前記荷電粒子の前記エネルギーを判定する請求項１記載の粒子線治療装置。
【請求項１９】
前記エネルギー判定装置は、前記円形加速器に備えられた偏向電磁石の偏向磁場強度及び、周回する前記荷電粒子ビームの軌道位置に基づいて前記荷電粒子の前記エネルギーを判定する請求項１記載の粒子線治療装置。
【請求項２０】
前記エネルギー判定装置は、前記円形加速器に備えられた偏向電磁石の偏向磁場強度、及び前記円形加速器に備えられた加速空洞から前記荷電粒子ビームを加速するために印加される高周波の周波数、又は前記円形加速器内を周回する前記荷電粒子ビームの周回周波数に基づいて前記荷電粒子の前記エネルギーを判定する請求項１記載の粒子線治療装置。
【請求項２１】
前記円形加速器は偏向電磁石を備え、
前記エネルギー判定装置は、前記偏向電磁石の偏向磁場強度が第１許容範囲内に存在し、
かつ、前記加速終了後における前記高周波の周波数、又は前記円形加速器内を周回する前記荷電粒子ビームの周回周波数が、第２許容範囲内に存在するとき、
前記加速終了後に周回する前記荷電粒子ビームのエネルギーが正常であると判定する請求項１記載の粒子線治療装置。
【請求項２２】
前記円形加速器は偏向電磁石を備え、
前記エネルギー判定装置は、前記偏向電磁石の偏向磁場強度が第１許容範囲外に存在し、
または、前記加速終了後における前記高周波の周波数、若しくは前記円形加速器内を周回する前記荷電粒子ビームの周回周波数が、第２許容範囲外に存在するとき、
前記加速終了後に周回する前記荷電粒子ビームのエネルギーが異常であると判定する請求項１記載の粒子線治療装置。
【請求項２３】
円形加速器で荷電粒子ビームを加速し、
前記円形加速器による前記荷電粒子ビームの加速終了後であって前記荷電粒子ビームの出射前に、前記円形加速器内を周回する前記荷電粒子ビームのエネルギーを判定し、
前記エネルギーの判定終了後、前記円形加速器から前記荷電粒子ビームを出射する荷電粒子ビームの出射方法。
【請求項２４】
前記エネルギーの判定は、前記円形加速器内を周回する前記荷電粒子ビームの前記エネルギーが所定の範囲内であるか否かの判定である請求項２３記載の荷電粒子ビームの出射方法。
【請求項２５】
前記エネルギーの判定は、前記円形加速器に備えられた加速空洞から前記荷電粒子ビームを加速するために印加される高周波の周波数、又は前記円形加速器内を周回する前記荷電粒子ビームの周回周波数、及び周回する前記荷電粒子ビームの軌道位置に基づいて行う請求項２３記載の荷電粒子ビームの出射方法。
【請求項２６】
前記エネルギーの判定は、前記円形加速器に備えられた偏向電磁石の偏向磁場強度及び、周回する前記荷電粒子ビームの軌道位置に基づいて行う請求項２３記載の荷電粒子ビームの出射方法。
【請求項２７】
前記エネルギーの判定は、前記円形加速器に備えられた偏向電磁石の偏向磁場強度、及び前記円形加速器に備えられた加速空洞から前記荷電粒子ビームを加速するために印加される高周波の周波数、又は前記円形加速器内を周回する前記荷電粒子ビームの周回周波数に基づいて行う請求項２３記載の荷電粒子ビームの出射方法。
【請求項２８】
前記エネルギーの判定において、前記周回する荷電粒子ビームのエネルギーが正常であると判定したとき、前記円形加速器からの前記荷電粒子ビームの出射を許可する請求項
２３記載の荷電粒子ビームの出射方法。
【請求項２９】
前記エネルギーの判定において、前記周回する荷電粒子ビームのビーム強度が正常であると判定したとき、前記円形加速器からの前記荷電粒子ビームの出射を許可する請求項
２３記載の荷電粒子ビームの出射方法。